【事件の表示】
　特許第２６７８０５２号「記録製本装置」の特許に対する特許異議の申立てについて、次のとおり決定する。
【結論】
　訂正を認める。
　特許第２６７８０５２号の特許を維持する。
【理由】
１．手続の経緯
　特許第２６７８０５２号の請求項１に係る発明ついての出願は、平成１年３月１６日に出願され、平成９年７月２５日にその発明について特許の設定登録がされ、その後、その特許について、シャープ株式会社、梅沢靖幸及び山田将之によりそれぞれ特許異議の申立てがなされ、取消理由通知がなされ、その指定期間内である平成１０年１２月１４日に訂正請求（手続補正指令書（方式）にもとづいて、平成１１年６月１５日付けの手続補正書によりこの訂正請求書は補正された。）がなされた後、訂正拒絶理由が通知され、訂正拒絶理由通知に対して手続補正書（この手続補正書は、手続補正指令書（方式）にもとづいて補正された。）が提出されたものである。
２．訂正の適否についての判断
　ア．訂正の内容
　特許権者が求めている上記手続補正書により補正された訂正請求書における訂正の内容は、本件特許明細書を以下のとおりに訂正しようとするものである。
訂正事項ａ
　特許請求の範囲の「製本制御手段」に係る記載「前記画像記録手段，画像供給手段，第１及び第２のシート供給手段及び製本モード指定手段を制御し、前記製本モード指定手段の状態を検出して２つの製本モードを識別し；
　第１の製本モードにおいては、前記製本トレイ手段上に積載された前記画像記録手段から出力される記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」を、
　「前記画像記録手段，画像供給手段，第１及び第２のシート供給手段及び製本モード指定手段を制御し、前記製本モード指定手段の状態を検出して両面カバーモードである第１の製本モ−ドの指定があるか片面カバーモードである第２の製本モードの指定があるか２つの製本モードの指定を識別し；
　第１の製本モードの指定がある場合には、画像記録を開始するときに前記第２のシート供給手段からカバーシートを前記画像記録手段に供給し、このときカバーシートへの画像記録と、前記画像記録手段による画像記録をせずにカバーシートを通紙する画像記録なし通紙と、を選択的に行なってカバーシートを前記製本トレイ手段に送り、そして前記第１のシート供給手段から未記録シートを前記画像記録手段に供給しこのとき未記録シートへの画像記録を行なって前記製本トレイ手段に送り、そして第２のシート供給手段からカバーシートを前記画像記録手段に供給して前記製本トレイ手段に送り、以上により前記製本トレイ手段の記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」と訂正する。
訂正事項ｂ
　特許明細書第４頁第６〜１９行の、「前記画像記録手段，画像供給手段，第１及び第２のシート供給手段及び製本モード指定手段を制御し、前記製本モード指定手段の状態を検出して２つの製本モードを識別し；
　第１の製本モードにおいては、前記製本トレイ手段上に積載された前記画像記録手段から出力される記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」を、
　「前記画像記録手段，画像供給手段，第１及び第２のシート供給手段及び製本モード指定手段を制御し、前記製本モード指定手段の状態を検出して両面カバーモードである第１の製本モードの指定があるか片面カバーモードである第２の製本モードの指定があるか２つの製本モードの指定を識別し；
　第１の製本モードの指定がある場合には、画像記録を開始するときに前記第２のシート供給手段からカバーシートを前記画像記録手段に供給し、このときカバーシートへの画像記録と、前記画像記録手段による画像記録をせずにカバーシートを通紙する画像記録なし通紙と、を選択的に行なってカバーシートを前記製本トレイ手段に送り、そして前記第１のシート供給手段から未記録シートを前記画像記録手段に供給しこのとき未記録シートへの画像記録を行なって前記製本トレイ手段に送り、そして第２のシート供給手段からカバーシートを前記画像記録手段に供給して前記製本トレイ手段に送り、以上により前記製本トレイ手段の記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」と訂正する。
　イ．訂正の目的の適否、新規事項の有無及び拡張・変更の存否
訂正事項ａについて
　前記訂正事項ａは、願書に最初に添付した明細書及び図面の記載からみて特許請求の範囲の減縮に該当し、願書に最初に添付した明細書又は図面に記載した事項の範囲内の訂正であり、また、実質上特許請求の範囲を拡張又は変更するものではない。
訂正事項ｂについて
　この訂正は、上記訂正事項ａによる特許請求の範囲の記載の訂正に基づいて整合性を図るための訂正であり、明瞭でない記載の釈明に相当し実質的に特許請求の範囲を拡張又は変更するものではない。
　ウ．独立特許要件の判断
（訂正明細書の請求項１に係る発明）
　訂正明細書の請求項１に係る発明は、その特許請求の範囲の請求項１に記載された次の事項により特定されるとおりのものである。
　「画像記録手段；
　予め用意された複数の記録対象画像を順次に前記画像記録手段に与える、画像供給手段；
　複数の未記録シートを保持し前記画像記録手段に未記録シートを１枚ずつ順次に供給する第１のシート供給手段；
　複数のカバーシートを保持しそれを順次に送出する第２のシート供給手段；
　処理済のシートを積載して保持する製本トレイ手段；
　製本モード指定手段；及び
　前記画像記録手段，画像供給手段，第１及び第２のシート供給手段及び製本モード指定手段を制御し、前記製本モード指定手段の状態を検出して両面カバーモードである第１の製本モードの指定があるか片面カバーモードである第２の製本モードの指定があるか２つの製本モードの指定を識別し；第１の製本モードの指定がある場合には、画像記録を開始するときに前記第２のシート供給手段からカバーシートを前記画像記録手段に供給し、このときカバーシートへの画像記録と、前記画像記録手段による画像記録をせずにカバーシートを通紙する画像記録なし通紙と、を選択的に行なってカバーシートを前記製本トレイ手段に送り、そして前記第１のシート供給手段から未記録シートを前記画像記録手段に供給しこのとき未記録シートへの画像記録を行なって前記製本トレイ手段に送り、そして第２のシート供給手段からカバーシートを前記画像記録手段に供給して前記製本トレイ手段に送り、以上により前記製本トレイ手段の記録済シート群の最上部と最下部の両面に、前記第２のシート供給手段から供給されるカバーシートを配置し；第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；
を備える記録製本装置。」
（引用刊行物）
　当審で通知した訂正拒絶理由で引用した引用例
１（特開昭６２−１８５６７６号公報）、引用例
２（特開昭６０−１９１９３２号公報）、引用例
３（特表平０１−５００６９８号公報）には、以下のような発明或いは技術事項が記載されている。
　【引用例１】
　引用例１は、「複写機の制御方法」について記載されており、本件発明の表現に従えば、引用例１に記載のものも複写機であることから、引用例１に記載の複写機は、画像記録手段、予め用意された複数の記録対象画像を順次に前記画像記録手段に与える画像供給手段、複数の未記録シートを保持し前記画像記録手段に未記録シートを１枚ずつ順次に供給するシート供給手段及びフィニッシャを備え、これらの前記画像記録手段，画像供給手段，シ−ト供給手段，フィニッシャを制御する制御手段を備えているものであり、
　また、引用例１には、その記載内容からみて、上段、中段、下段のトレイを有しそれぞれシート供給手段を構成したものが記載されており、さらにトレイ上段を合紙専用トレイとするもの及び操作パネル４に合紙モード選択スイッチ８，合紙種類選択スイッチ９を配置したものが記載されており、オペレーターがこれらのスイッチを操作してスタートさせると、前記画像記録手段，画像供給手段，シート供給手段及びフィニッシャが前記制御手段により制御されて、スイッチ８により指定合紙モードが選択されるとともにスイッチ９により表、裏が選択されると画像記録を開始するときに前記合紙専用トレイであるトレイ上段のシート供給手段から合紙を前記画像記録手段に供給し画像記録なしの合紙を前記フィニッシャに送り、そして前記中段、下段のトレイのシート供給手段から未記録シートを前記画像記録手段に供給しこのとき未記録シートへの画像記録を行なって前記フィニッシャに送り、そしてトレイ上段のシート供給手段から合紙を前記画像記録手段に供給して前記フィニッシャに送り、以上により前記フィニッシャの記録済シート群の最上部と最下部の両面に、前記トレイ上段のシート供給手段から供給される合紙を配置し；スイッチ９により表が選択されるとともにスイッチ８により指定合紙モードが選択されると、前記画像記録手段から出力される記録済シート群の最上部の面に、前記トレイ上段のシート供給手段から供給される合紙を配置する複写機が記載されているものである。そして、上記合紙は表紙、裏表紙となるようなものであることも記載されているものである。
　【引用例２】
　引用例２には、複写機１より記録された複写紙を積み重ねて揃え、仕上機例えばステープラー（ホッチギスのようにＵ字状の針で綴じる機器）により綴じる製本装置について記載されており、
　また、引用例２には、「仕上機はステープラーすなわちホッチギスのようにＵ字状の針で紙を綴じる機能と穴あけ機能等を共に又は何れ一方を備えており」（その公報の第４頁左下欄第６行から第８行に記載）、「複写機１の原稿供給装置の原稿スタートボタンが押されると、製本装置２はまず表紙を供給する作業を開始し、その後複写機１から複写紙が送られて、複写紙が所定枚数送られると再び裏表紙を供給して順次中間スタッキング部Ｄにおいて積み重ねて揃える。・・中略・・製本に際しては表紙と裏表紙の両者を必要とする場合と、表紙と裏表紙のいずれか一方のみを必要とする場合があるが、そのいずれのモードを選ぶかは選択ボタンにより指定できるようにする。」（同第４頁右上欄第１３行から左下欄第６行に記載）及び「複写紙群は案内ベルト４４とトレイ６３とによりガイドされ仕上機４８の切欠き状入口に送り込まれる。」（同第６頁右上欄第１行から第３行に記載）と記載されている。
　【引用例３】
　引用例３には、挿入モードで動作可能な複写機について記載されており、その公報の第４頁左下欄第１０行から第５頁左下欄第９行の記載からみて、オペレータが予めカバーシートに対応させて像を有する原稿或いはブランクの原稿を用意することにより、カバー挿入モードで前記像が記録されたカバーシート或いはブランクのカバーシートとしての挿入を選択的に行なうようなことが記載されている。
（対比・判断）
　訂正明細書の特許請求の範囲の請求項１に係る発明（以下、「本件発明」という。）と引用例１乃至引用例３に記載されたものとそれぞれを比較すると、
　表現はそれぞれ異なるけれども、上記各引用例に記載されたものには本件発明の構成要件のうちのかなりの部分を有しているけれども、結局、上記各引用例に記載のものは、本件発明の構成の一部であるところの、製本制御手段についての「第１の製本モードの指定がある場合には、このときカバーシートへの画像記録と、前記画像記録手段による画像記録をせずにカバーシートを通紙する画像記録なし通紙と、を選択的に行なう」構成を備えていないものである。
　そして、本件発明は、上記構成とその他の構成とが相俟って上記訂正明細書に記載のような効果を奏するものであり、本件発明は上記引用例１乃至引用例３に記載のものから当業者が容易に発明をすることができたものではない。
　また、当審が通知した取消理由通知に記載した理由によっても、本件発明が、特許出願の際独立して特許を受けることができないものとはいえない。
エ．むすび
　以上のとおりであるから、上記訂正は、特許法第１２０条の４第３項で準用する同法第１２６条第２項乃至第４項の規定に適合するので、当該訂正を認める。
３．特許異議の申立てについての判断
（１）本件発明
　本件請求項１に係る発明は、上記２．ウ．において認定したように訂正明細書の特許請求の範囲の請求項１に記載された事項により特定されるとおりのものである。
（２）申立ての理由の概要
　異議申立人シャープ株式会社は、証拠方法として甲第１号証（特開昭６２−１８５６７６号公報）、甲第２号証（特開昭５８−２１２５３８号公報）を提示して、本件の請求項１に係る発明は甲第１号証に記載された発明から当業者が容易に発明をすることができたものであり、特許法第２９条第２項の規定により特許を受けることができず、同法第１１３条第１項２号により本件請求項１に係る発明の特許を取り消すべきである旨主張している。
　また、異議申立人梅沢靖幸は、証拠方法として、甲第１号証（特開昭６２−１８５６７６号公報）、甲第２号証（特開昭６０−１９１９３２号公報）を提示して、本件の請求項１に係る発明は甲第１号証，甲第２号証に記載された各発明と同一または甲第１号証及び甲第２号証に記載された発明から当業者が容易に発明をすることができたものであるから、特許法第２９条第１項第３号または同第２９条第２項の規定により特許を受けることができないものであり、本件請求項１に係る発明の特許は同法第１１３条第１項２号により取り消されるべきである旨主張している。
　さらに、異議申立人山田将之は、証拠方法として、甲第１号証（特開昭６２−１８５６７６号公報）、甲第２号証（特表平１−５００６９８号公報）を提示して、本件の請求項１に係る発明は甲第１号証に記載された発明と同一であり、仮に、同一でないとしても、甲第１号証及び甲第２号証に記載された発明から当業者が容易に発明をすることができたものであるから、特許法第２９条第１項第３号または同第２９条第２項の規定により特許を受けることができないものであり、本件請求項１に係る発明の特許は同法第１１３条第１項２号により取り消されるべきである旨主張している。
（３）当審の判断
　ア．特許法第２９条第２項違反について
　各異議申立人が提示した甲第１号証、異議申立人梅沢靖幸が提出した甲第２号証及び異議申立人山田将之が提出した甲第２号証は、上記引用例１、引用例２及び引用例３にそれぞれ相当していることから、甲第１号証、甲第２号証及び甲第３号証にはそれぞれ上記２．ウ．で認定したような発明乃至技術事項が記載されており、同じく上記２．ウ．において比較・判断したように上記甲各号証に記載のものには、本件請求項１に係る発明の構成の一部であるところの、製本制御手段についての「第１の製本モードの指定がある場合には、このときカバーシートへの画像記録と、前記画像記録手段による画像記録をせずにカバーシートを通紙する画像記録なし通紙と、を選択的に行なう」構成を備えていないものである。
　そして、本件請求項１に係る発明は、上記構成とその他の構成とが相俟って上記訂正明細書に記載のような効果を奏するものであり、本件請求項１に係る発明は上記甲各号証に記載のものに基づいて当業者が容易に発明をすることができたものとすることはできない。
　イ．特許法第２９条第１項第３号違反について
　異議申立人梅沢靖幸及び山田将之が提出した甲第１号証及び異議申立人梅沢靖幸が提出した甲第２号証に記載のものには、上記のように本件請求項１に係る発明の構成の一部であるところの、製本制御手段についての「第１の製本モードの指定がある場合には、このときカバーシートへの画像記録と前記画像記録手段による画像記録をせずにカバーシートを通紙する画像記録なし通紙とを選択的に行なう」構成を備えていないものである。
　したがって、本件請求項１に係る発明が異議申立人梅沢靖幸及び山田将之が提出した甲第１号証及び異議申立人梅沢靖幸が提出した甲第２号証に記載の各発明と同一であるとすることはできない。
（４）むすび
　以上のとおり、上記各異議申立人の異議申立ての理由及び証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年８月３０日（１９９９．８．３０）
【訂正の要旨】
訂正の要旨
訂正事項ａ
　特許請求の範囲の「製本制御手段」に係る記載「前記画像記録手段，画像供給手段，第１及び第２のシート供給手段及び製本モード指定手段を制御し、前記製本モード指定手段の状態を検出して２つの製本モードを識別し；
　第１の製本モードにおいては、前記製本トレイ手段上に積載された前記画像記録手段から出力される記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」を、
　「前記画像記録手段，画像供給手段，第１及び第２のシート供給手段及び製本モード指定手段を制御し、前記製本モード指定手段の状態を検出して両面カバーモードである第１の製本モードの指定があるか片面カバーモードである第２の製本モードの指定があるか２つの製本モードの指定を識別し；
　第１の製本モードの指定がある場合には、画像記録を開始するときに前記第２のシート供給手段からカバーシートを前記画像記録手段に供給し、このときカバーシートへの画像記録と、前記画像記録手段による画像記録をせずにカバーシートを通紙する画像記録なし通紙と、を選択的に行なってカバーシートを前記製本トレイ手段に送り、そして前記第１のシート供給手段から未記録シートを前記画像記録手段に供給しこのとき未記録シートへの画像記録を行なって前記製本トレイ手段に送り、そして第２のシート供給手段からカバーシートを前記画像記録手段に供給して前記製本トレイ手段に送り、以上により前記製本トレイ手段の記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」と訂正する。
訂正事項ｂ
　特許明細書第４頁第６〜１９行の、「前記画像記録手段，画像供給手段，第１及び第２のシート供給手段及び製本モード指定手段を制御し、前記製本モード指定手段の状態を検出して２つの製本モードを識別し；
　第１の製本モードにおいては、前記製本トレイ手段上に積載された前記画像記録手段から出力される記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」を、
　「前記画像記録手段，画像供給手段，第１及び第２のシート供給手段及び製本モード指定手段を制御し、前記製本モード指定手段の状態を検出して両面カバーモードである第１の製本モードの指定があるか片面カバーモードである第２の製本モードの指定があるか２つの製本モードの指定を識別し；
　第１の製本モードの指定がある場合には、画像記録を開始するときに前記第２のシート供給手段からカバーシートを前記画像記録手段に供給し、このときカバーシートへの画像記録と、前記画像記録手段による画像記録をせずにカバーシートを通紙する画像記録なし通紙と、を選択的に行なってカバーシートを前記製本トレイ手段に送り、そして前記第１のシート供給手段から未記録シートを前記画像記録手段に供給しこのとき未記録シートへの画像記録を行なって前記製本トレイ手段に送り、そして第２のシート供給手段からカバーシートを前記画像記録手段に供給して前記製本トレイ手段に送り、以上により前記製本トレイ手段の記録済シート群の最上部と最下部の両面に、前記第２のシート供給手段から供給されるカバーシートを配置し；
　第２の製本モードにおいては、前記製本トレイ手段上に積載された前記画像記録手段から出力される記録済シート群の最上部及び最下部のいずれか一方の面に、前記第２のシート供給手段から供給されるカバーシートを配置する、製本制御手段；」と訂正する。
（５４）【発明の名称】
記録製本装置
（５７）【特許請求の範囲】
　画像記録手段；
　予め用意された複数の記録対象画像を順次に前記画像記録手段に与える、画像供給手段；
　複数の未記録シートを保持し前記画像記録手段に未記録シートを１枚ずつ順次に供給する第１のシート供給手段：
　複数のカバーシートを保持しそれを順次に送出する第２のシート供給手段；
　処理済のシートを積載して保持する製本トレイ手段；
　製本モード指定手段；及び
　前記画像記録手段，画像供給手段，第１及び第２のシート供給手段及び製本モード指定手段を制御し、前記製本モード指定手段の状態を検出して
両面カバーモードである第１の製本モードの指定があるか片面カバーモードである第２の製本モードの指定があるか
の指定
の指定がある場合には、画像記録を開始するときに前記第２のシート供給手段からカバーシートを前記画像記録手段に供給し、このときカバーシートへの画像記録と、前記画像記録手段による画像記録をせずにカバーシートを通紙する画像記録なし通紙と、を選択的に行なってカバーシートを前記製本トレイ手段に送り、そして前記第１のシート供給手段から未記録シートを前記画像記録手段に供給しこのとき未記録シートへの画像記録を行なって前記製本トレイ手段に送り、そして第２のシート供給手段からカバーシートを前記画像記録手段に供給して前記製本トレイ手段に送り、以上により
を備える記録製本装置。
【発明の詳細な説明】
［産業上の利用分野］
　本発明は、複写機などの画像記録手段によって処理された１群の記録済シートに表紙を付加してそれを製本化する記録製本装置に関する。
［従来の技術］
　この種の製本装置については、例えば、特開昭６０−１８０８９４号公報，特開昭６０−１９１９３２号公報，及び特開昭６０−２０４５６４号公報の技術が知られている。
　従来の製本装置においては、１まとまりの記録済シート群の最上部と最下部にそれぞれ表紙となる特別なシートを自動的に重ねてそれを製本化している。
［発明が解決しようとする課題］
　ところで、複写機などを利用して書類を作成する場合、１部あたりの記録シートの枚数は比較的少ない場合が多い。そのような場合であっても、表紙を付けることは有意義である。しかし、例えば３枚程度の薄い記録済シート群の表と裏にそれぞれ厚みのあるカバーを付加するのでは無駄が多すぎるし、カバーを付けるためのコストや製本化に伴なう処理時間の増大が無視できない。
　本発明は、製本化に伴なう必要以上の無駄や処理時間の増大を防止しうる記録製本装置を提供することを課題とする。
［課題を解決するための手段］
　上記課題を解決するために、本発明においては、画像記録手段；予め用意された複数の記録対象画像を順次に前記画像記録手段に与える、画像供給手段；複数の未記録シートを保持し前記画像記録手段に未記録シートを１枚ずつ順次に供給する第１のシート供給手段；複数のカバーシートを保持しそれを順次に送出する第２のシート供給手段；処理済のシートを積載して保持する製本トレイ手段；製本モード指定手段；及び前記画像記録手段，画像供給手段，第１及び第２のシート供給手段及び製本モード指定手段を制御し、前記製本モード指定手段の状態を検出して
両面カバーモードである第１の製本モードの指定があるか片面カバーモードである第２の製本モードの指定があるか
の指定
の指定がある場合には、画像記録を開始するときに前記第２のシート供給手段からカバーシートを前記画像記録手段に供給し、このときカバーシートへの画像記録と、前記画像記録手段による画像記録をせずにカバーシートを通紙する画像記録なし通紙と、を選択的に行なってカバーシートを前記製本トレイ手段に送り、そして前記第１のシート供給手段から未記録シートを前記画像記録手段に供給しこのとき未記録シートへの画像記録を行なって前記製本トレイ手段に送り、そして第２のシート供給手段からカバーシートを前記画像記録手段に供給して前記製本トレイ手段に送り、以上により
を設ける。
　［作用］
　本発明によれば、オペレータが製本モード指定手段を操作することによって、第１の製本モードと第２の製本モードとを任意に選択することができる。第１の製本モードにおいては、従来の製本装置と同様に処理済シート群の最上部と最下部の画面にカバーシートが配置されるが、第２の製本モードにおいては、処理済シート群の最上部及び最下部のいずれか一方の面にだけカバーシートが付加される。
　従って、処理済シート群の枚数が少ない場合には、第２の製本モードを指定することにより、第１の製本モードを選択した場合に比べ、カバーシートの消費量及びカバーシート付加に伴なう処理時間の増大を半分に抑えることができる。このため、比較的枚数の少ない製本対象に対しても、表紙を付加しやすく、コピー書類の商品価値を高めることができる。製本対象の枚数が多い場合には、第１の製本モードを指定することにより、表と裏の両面にカバーシートが付加されるので、より商品価値の高い書類を作ることができる。
　本発明の他の目的及び特徴は、以下の，図面を参照した実施例説明により明らかになろう。
［実施例］
　第２図に、本発明を実施する一形式の複写機を示す。第２図を参照して説明する。概略でいうと、この複写機は、複写機本体と、ＡＤＦ（自動原稿送り装置）６０，ソータ７０，自動両面処理ユニット８０等のオプションユニット群で構成されている。記録シートを供給する給紙系は５段になっている。即ち、第１給紙系及び第２給紙系は複写機本体に備わっており、第３給紙系である第２給紙ユニット１７０及び第４給紙系と第５給紙系を含む第３給紙ユニット１８０が複写機本体に接続されている。２１，２２，２３及び２４はそれぞれ第１給紙系，第２給紙系，第３給紙系及び第４給紙系に設けられたカセットであり、２５が第５給紙系のトレイである。
　第１給紙系には、カセット２１の他に、手差し給紙トレイ２６が備わっている。
このトレイ２６は開閉ドアを兼ねており、第２図に示す状態では手差し給紙口が開いており、ドアを閉じると手差し給紙口が閉じるようになっている。手差し給紙口が開くと、カセット２１の代わりに給紙トレイ２６上からシートが供給される。手差し給紙トレイ２６においては、複数のシートを重ねた状態で連続的に自動給紙することはできないが、様々なサイズ及び厚みの用紙に対応でき、シートの交換や補充の作業もカセットに比べるとはるかに容易になっている。
　複写機本体の最上部に原稿を載置するコンタクトガラス１が備わっており、その下方に光学走査系３０が備わっている。光学走査系３０には、露光ランプ３１，第１ミラー３２，第３ミラー３３，第４ミラー３４，レンズ３５，第５ミラー３６，スリット３７等々が備わっている。原稿読取走査を行なう場合、光路長が変化しないように、露光ランプ３１と第１ミラー３２を搭載した第１キャリッジと第３ミラー３３及び第４ミラー３４を搭載した第２キャリッジとが、２：１の相対速度で機械的に走査駆動される。レンズ３５はズームレンズであり、モータ駆動によって倍率を変えることができる。
　従って、露光ランプ３１から出た光は、第１ミラー３２，第３ミラー３３，第４ミラー３４，レンズ３５，第５ミラー３６及びスリット３７を介して、感光体ドラム２上に結像される。
　感光体ドラム２の周囲には、メインチャージャ３，イレーサ４，現像器５，転写前除電ランプ６，転写チャージャ７，分離チャージャ８，クリーニングユニット９等々が備わっている。
　像再生プロセスを簡単に説明する。感光体ドラム２の表面は、メインチャージャ３の放電によって所定の高電位に一様に帯電する。像再生に利用されない部分の電荷は、イレーサ４によって消去される。感光体ドラム２の帯電した面に、原稿からの反射光が照射されると、照射される光の強度に応じて、その部分の電位が変化（低下）する。感光体ドラム２は図に矢印で示す方向に回転し、それに同期して光学走査系３０は原稿面を順次走査するので、感光体ドラム２の表面には、原稿像の濃度（光反射率）分布に応じた電位分布、即ち静電潜像が形成される。
　静電潜像が形成された部分が現像器５の近傍を通ると、電位分布に応じて現像器５内のトナーが感光体２の表面に吸着し、それによって静電潜像が現像され、静電潜像に応じた可視像が感光体ドラム２上に形成される。一方、コピープロセスの進行に同期して、５つの給紙系のいずれか選択されたものから記録シートが供給される。この記録シートは、レジストローラ２７を介して、所定のタイミングで感光体ドラム２の表面に重なるように送り込まれる。
　そして、転写チャージャ７によって、感光体ドラム２上の可視像（トナー像）が記録シート側に転写し、更に分離チャージャ８によって、可視像が転写された記録シートは感光体ドラム２から分離する。分離した記録シートは、搬送ベルト１１によって定着器１２まで搬送される。定着器１２を通ると、記録シート上のトナー像は、定着器１２内の熱によって記録シート上に定着される。定着を終えた記録シートは、所定の排紙経路を通って、ソータ７０又は自動両面ユニット８０に排出される。
　第３図に、第２図の複写機の上面パネルに備わった操作ボードの外観の一部分を示す。
　第３図を参照すると、この操作ボード上には、多数のキーＫ１，Ｋ２，Ｋ３，Ｋ４，Ｋ５，Ｋ６，Ｋ７，Ｋ８，Ｋ９，Ｋ１０，ＫＣ，ＫＳ，Ｋ＃及びＫＩと、多数の表示器ＰＳＤ，ＬＣＤ，ＭＧＤ，ＣＤＤ，ＣＮＤ，２０１〜２０５，２１１〜２１５，３０１〜３０３が備わっている。
　代表的なキーの各々の機能について簡単に説明する。
　Ｋ１０は、テンキーであり、コピー部数等の数値の設定に利用される。
　ＫＣはクリア／ストップキーであり、各種設定値のクリア及びコピー動作の中断に利用される。
　ＫＳはプリントスタートキーであり、待機状態からコピー動作を開始するのに利用される。
　Ｋ１は、ソータ７０の動作モードを指定するキーであり、通常モード，ソートモード及びスタックモードが指定できる。
　Ｋ５，Ｋ６及びＫ７は原稿とコピーとの倍率の調整に利用される倍率キーであり、それぞれ、縮小，拡大及び等倍の指定に利用される。
　Ｋ８及びＫ９は、コピー濃度を調整するためのキーである。
　Ｋ３は、製本処理に関する動作を指定するキーであり、通常モード，片面カバーモード及び両面カバーモードの３種類の指定ができる。片面カバーモードでは、積載された一般のシート群の最上部（第１枚目）の上にカバーシートを積載する動作を自動的に実行し、両面カバーモードでは、一般のシート群の最上部の上と最下部の下の両面にカバーシートを積載する動作を実行する。
　Ｋ２は、カバーコピーキーであり、片面カバーモード及び両面カバーモードにおいて、カバーシートに対しコピー動作を行なうか否かを指定するのに利用される。
　Ｋ４は、用紙を供給する供紙系を選択するための用紙キーであり、一般のコピーシートとカバーシートの両方の指定に利用される。
　従ってこの実施例では、製本処理に関しては、第１図に示すように４種類のモードを選択的に利用することができる。カバーコピーモードがオフの場合には、表カバーは第１頁Ｐ１の上に載り、裏カバーは第ｎ頁Ｐｎの下に配置されるが、カバーコピーモードがオンの場合には、表カバーが第１頁Ｐ１になり、裏カバーが第ｎ頁Ｐｎになる。片面カバーモードの時には裏カバーは省略され、表カバーだけになる。
　再び第３図を参照して、代表的な表示器についてその機能を説明する。
　ＬＣＤは、ドットマトリクス構成の液晶表示器であり、カタカナ，数字，英字などの文字を表示できる。この例では、必要に応じて様々なメッセージが表示される。
　ＭＧＤは、３桁の数字表示器であり、指定したコピー倍率などの数値を表示する。
　ＣＮＤは、２桁の数字表示器であり、指定したコピー部数などの数値を表示する。
　ＰＳＤは、５段の給紙系の各々にセットされたシートのサイズ（Ｂ５，Ｂ４，Ａ４，Ａ３等々）と向き（縦／横）を表示する。
　２０１〜２０５は、５段の給紙系の各々に対応付けられており、コピーシート給紙系として選択されたいずれか１つの給紙系のものが点灯し、その他のものが消灯状態になる。
　２１１〜２１５は、５段の給紙系の各々に対応付けられており、カバーシート給紙系として選択されたいずれか１つの給紙系のものが点灯し、その他のものが消灯状態になる。
　３０１，３０２及び３０３は、製本処理に関するその時の動作モードの設定状態を表示する。即ち、製本処理をしない時は３０１，３０２は消灯し、片面カバーモードの時は３０１が点灯して３０２が消灯し、両面カバーモードの時は３０１が消灯して３０２が点灯する。また、カバーコピーモードがオンになると３０３が点灯する。
　第４図に、第２図の複写機の電装部の構成の概略を示す。
　第４図を参照すると、主制御ボード２００には、マイクロプロセッサ２１０，読み出し専用メモリ（ＲＯＭ）２２０，読み書きメモリ（ＲＡＭ）２３０，パラレルＩ／Ｏポート２４０，シリアルＩ／Ｏポート２５０，Ａ／Ｄ（アナログ／デジタル）コンバータ２６０及びタイマ２７０が備わっている。この主制御ボード２００に、操作ボード３１０（第３図参照），光学系制御ボード３２０，ランプ制御ボード３３０，ヒータ制御ボード３４０，高圧電源ユニット３５０，自動原稿送り装置６０，ソータ７０，両面処理装置８０，給紙ユニット３６０，ドライバ３７０，３８０及び信号処理回路３９０が接続されている。
　光学系制御ボード３２０は、光学走査系３０の走査駆動用電気モータＭ１及びズームレンズの倍率を調整する電気モータＭ２を制御する。
　ランプ制御ボード３３０は、光学走査系３０の露光ランプ３１の光量を制御する。
　ヒータ制御ボード３４０は、定着器１２に備わった定着ヒータＨＴ１と感光体ドラム２に内蔵されたドラムヒータＨＴ２の温度を制御する。
　高圧電源ユニット３５０は、メインチャージャ３，現像カートリッジ５のバイアス電極５ａ，転写チャージャ７及び分離チャージャ８の各々に印加する高圧電力を生成する。
　ドライバ３７０には、各種の交流負荷（４００）が接続されており、ドライバ３８０には、各種の直流負荷（４１０）が接続されており、信号処理回路３８０には、各種センサ（４２０）が接続されている。
　具体的にいうと、各種交流負荷４００の代表的なものは、感光体ドラム２等を駆動するメインモータ，現像カートリッジ用のモータ，搬送用ファンモータ及び冷却用ファンモータである。また、各種直流負荷４１０の代表的なものは、クリーニング制御用ソレノイド，レジストローラ制御用クラッチ，分離爪制御用ソレノイド，イレーサ４，トータルカウンタ，トナー補給制御用ソレノイド及びオイル補給制御用ソレノイドである。更に、各種センサ４２０の代表的なものは、前記メインモータの回動に同期したパルスを発生するタイミングパルス発生器，各々の給紙系のカセット内のシートサイズ（及び向き）を検出する紙サイズセンサ及び紙有無センサ，手差し給紙トレイ２６の開閉状態を検出するドア開閉センサ等々である。
　第５ａ図，第５ｂ図，第５ｃ図及び第５ｄ図に、第４図のマイクロプロセッサ２１０の処理する複写機の動作の一部分を示す。以下、複写機の動作について説明する。
　まず、第５ａ図を参照する。複写機が待機状態の時には、ステップ１の処理を繰り返し実行する。ステップ１では、操作ボード３１０上の様々なキーからの入力状態の読取り，操作ボード上の様々な表示器の表示制御，及びキー入力に応じたモード設定の処理を行なう。
　ステップ２では、操作ボード３１０上のカバーキーＫ３からの入力をチェックする。Ｋ３の入力があった場合には、次にステップ３を実行する。
　ステップ３に示される処理については後で詳細に説明する。
　ステップ４では、プリントスタートキーＫＳの入力状態をチェックする。ＫＳから入力があった場合には、次にステップ５に進む。
　ステップ５では自動原稿送り装置（以下ＡＤＦと言う）６０の動作状態をチェックする。この例では、ＡＤＦ６０は原稿画像読取面（コンタクトガラス１）に対して開閉自在になっており、原稿読取面に対して手動でも原稿セットを行なうことができる。ＡＤＦ６０の給紙口に原稿をセットしない状態でコピー動作をスタートすると、ＡＤＦ６０は原稿の送りは行なわない。ＡＤＦモード、即ち自動送りの時にはステップ５の次に６に進むが、手動モードの時にはステップ５からステップ１１に進む。
　ステップ６では、カバーコピーモードか否かを識別する。このモードの切換えは、カバーコピーキーＫ２によって行なわれる。カバーコピーモードの場合にはステップ７に進み、そうでなければステップ１３に進む。
　ステップ７では、ＡＤＦ６０の給紙口に積載された原稿群の枚数を測定する。この動作は、単に原稿の各々を順次に給紙及び排紙して、それらが全部で何枚あるかを計数するものであり、この時にはコピー動作は全く行なわれない。なおこの例では、ステップ７の処理が終了したら、オペレータが排紙された原稿をＡＤＦの給紙口に再セットする必要があるが、それを自動的に行なうように構成を変更してもよい。この種の技術は公知であるので具体的な説明は省略する。
　ステップ７の測定の結果、原稿枚数が１枚であると、ステップ８及び９を通ってステップ１１に進む。また原稿枚数が２枚の時に両面カバーモードになっていると、ステップ８，９及び１０を通ってステップ１１に進む。
　ステップ１１では、カバーモードを解除し、表示器３０１〜３０３及び２１１〜２１４の表示をオフする。つまり、片面カバーモード又は両面カバーモードが指定されている場合であっても、原稿を手動給紙する場合、原稿の全枚数が１枚の場合、及び原稿の全枚数が２枚でかつ両面カバーモードの場合には、いずれも、それらの製本モードが自動的に解除され通常モードに戻る。
　ステップ１３では、両面カバーモードか否かを識別する。両面カバーモードの場合には、ステップ１４〜２１の処理を実行する。この処理は、裏カバーに関するものである。即ち、この実施例のＡＤＦ６０においては、原稿の画像面が下向きに配置され、その第１頁が最下部に位置し、最上部の最終頁の原稿から順次にコピー動作が開始されるので、最初に送られるカバーシートは、最終頁の後に付加される裏カバーである。
　ステップ１４では、サブルーチンＳＵＢＰＦを実行し（後で説明する）、選択された給紙系からカバーとなるシートを通常のコピープロセスと同じ経路で供給する。
　ステップ１５では、カバーコピーモードか否かを識別する。カバーコピーモードなら次にステップ１９に進み、そうでなければステップ１６に進む。
　カバーコピーモードの場合、ステップ１９で最終頁の原稿を給紙し、それを原稿読取面上に位置決めする。そして、次のステップ２０，２１で通常のコピープロセスを実行する。これが終了すると、裏カバーのシートには最終頁の画像がコピーされて、それがソータ７０上のトレイに排紙される。
　カバーコピーモードでなければ、ステップ１６及び１７では、ステップ１４で給紙したカバーシートに対して、単に通紙動作を行なう。即ち、カバーシートはコピープロセスの経路を通すが、それに対してはコピー動作を禁止し、単にカバーシートをソータ７０上に送る。従ってこの場合には裏カバーには画像が記録されない。
　次に第５ｂ図を参照する。
　ステップ３１では、原稿が給紙済か否かをチェックする。未給紙の場合には、次のステップ３２で、ＡＤＦ６０を制御し、最終頁の原稿を原稿画像読取面上に位置決めする。
　次に、記録シートの給紙を行なう。通常は、ステップ４５を実行し、用紙キーによって予め指定された１つの自動紙給紙系（手差し給紙トレイ２６以外）が選択されるが、手差し給紙トレイ２６が開いていると、ステップ３５を実行し、手差し給紙トレイ２６からシートを供給する。手差し給紙トレイ２６が開いている場合であっても、片面カバーモード又は両面カバーモードが指定されている時は、カバー以外のシートについては、ステップ４５に進み、自動給紙系（２２〜２５のいずれか）から給紙を行なう。
　次のステップ３６及び３７では、給紙したコピーシートに対して、通常のコピープロセスを実行する。
　１枚のコピープロセスが完了すると、ステップ３８を実行し、ＡＤＦ６０を制御して、次にコピーする原稿を給紙すると同時にコピーの終了した原稿を排紙する。この時、処理済原稿の枚数の計数も行なわれる。
　ステップ３９では、全ての原稿のコピー処理が完了したか否かをチェックする。即ち、最終原稿（第１頁）の排紙が終了した時には次にステップ４０に進み、更にコピーすべき原稿がまだ存在する場合にはステップ４６に進む。
　ステップ４６では、給紙した原稿が最終原稿（第１頁）か否かをチェックする。最終原稿でなければ、ステップ３１に戻って上述のコピー動作を繰り返す。また最終原稿であっても、カバーコピーモードでなければ、同じ処理を行なう。最終原稿であって、しかもカバーコピーモードが指定されている時には、ステップ４８でサブルーチンＳＵＢＰＦを実行し、予め選択されたカバーシートを給紙した後でそのシートに対して最終原稿（第１頁）に対してコピーを行なう。
　ステップ３９で全原稿の排紙を検知した場合には次のように処理する。
　片面カバーモード又は両面カバーモードが指定され、しかもカバーコピーモードの指定がない場合には、ステップ４２のサブルーチンＳＵＢＰＦを実行して予め選択したカバーシートを給紙し、次のステップ４３及び４４で、それを通常のコピー経路を通してソータに排紙する。この場合にはコピープロセスは禁止される。これによって、ソータ７０のトレイ上では、第１頁の像がコピーされた最上部のシートの上に、表紙となるカバーが更に載置される。
　次に、第５ｃ図及び第５ｄ図を参照し、サブルーチンＳＵＢＣＶを説明する。
　ステップ５１では、カバーコピーキーＫ２からの入力の有無をチェックする。入力があった場合には、次のステップ５２を実行し、カバーコピーモードのセット／リセット状態を切換える。つまり、リセットされている時に入力があるとカバーコピーモードをセットし、それがセットされている時に入力があるとそれをリセットする。
第５ａ図に示すステップ２のカバーキーＫ３の入力が１回目の場合には、ステップ５３から５４に進み、２回目ならステップ５３，６５を通ってステップ６６に進み、３回以上ならステップ７５に進む。
　ステップ５４では、片面カバーモードをセットし、表示器３０１を点灯して３０２を消灯する。またステップ６６では両面カバーモードをセットし、表示器３０１を消灯して３０２を点灯する。
　ステップ７５では、片面カバーモード及び両面カバーモードを解除して通常モードに戻り、表示器３０１〜３０３及び２１１〜２１５を消灯し、給紙選択済フラグをクリアする。
　ステップ５５では、手差し給紙トレイ２６の開閉状態をチェックする。閉状態なら次にステップ５６に進み、開状態ならステップ８３に進む。
　ステップ５６では、給紙選択済フラグの状態をチェックする。このフラグは、初期状態及びカバーモードの切換え時にクリアされる。
　給紙選択済フラグがクリアされていると、次にステップ５７に進む。
　ステップ５７では、操作ボード３１０の上の表示器ＬＣＤに、メッセージＭ１を表示する。具体的には、”コピー用紙サイズを選択して下さい（選択後＃キーＯＮ）”を表示する。
　この状態で、コピー用紙の給紙系の選択が可能になる。即ち、用紙キーＫ４を操作することによって、給紙系が選択がされる。なお、＃キーは入力の終了を示すものであり、Ｋ＃のキーによって指定する。
　用紙キーＫ４がオンすると、ステップ６７でレジスタＲｐｆの内容をインクリメントする。その結果が６の場合には、ステップ６９でＲｐｆを１にクリアする。更に、レジスタＲＰｆの内容に応じて、表示器２０１〜２０５の表示内容を更新する。つまり、選択した給紙系のランプを点灯する。
　＃キーＫ＃がオンした時には、ステップ５９から６０に進む。
　ステップ６０では、レジスタＲｐｆの内容を別のレジスタＲｃｆにストアする。このレジスタＲｃｆは、カバーシートの給紙系の選択データを保持する。従って、最初は、即ちカバーシートの給紙系が未指定の時には、コピー用紙の給紙系と同一の給紙系がカバーシートの給紙系として自動的に設定される。またステップ６０では、Ｒｃｆの内容に応じて、表示器２１１〜２１５の表示が更新され、（自動的に）指定された給紙系が表示される。
　ステップ６１では、メッセージＭ２を操作ボード３１０上の表示器ＬＣＤに表示する。具体的には、”カバー用紙サイズを選択して下さい（選択後＃キーＯＮ）”が表示される。
　この状態で、カバーシートの給紙系の選択が可能になる。即ち、用紙キーＫ４を操作することによって、給紙系が選択される。
　用紙キーＫ４がオンすると、ステップ７１を実行し、レジスタＲｃｆの内容をインクリメントする。その結果が６の場合には、ステップ７２でＲｃｆを１にクリアする。更に、レジスタＲｃｆの内容に応じて、表示器２１１〜２１５の表示内容を更新する。つまり、選択した給紙系に対応するランプを点灯する。
　＃キーＫ＃がオンした時には、ステップ６３から６４に進み、給紙選択済フラグがセットされる。このフラグがセットされると、ステップ５７の次にステップ８１に進むので、フラグをクリアするまで、コピー用紙及びカバーシートの給紙系の切換えはできない。
　次に第５ｄ図を参照する。
　ステップ８１では、選択されたコピー用紙とカバー用紙とのサイズ及び向きの一致の有無を調べる。即ち、レジスタＲｐｆの内容に対応付けられた給紙系で検出されたカセット内のシートのサイズ及び向きと、レジスタＲｃｆの内容に対応付けられた給紙系で検出されたカセット内のシートのサイズ及び向きとが一致するか否かを調べる。両者が一致する場合には、問題がないのでステップ８６でメッセージをクリアするが、一致しない場合には、製本ミスが生じるので、それを防止するために、ステップ８２に進む。
　ステップ８２では、表示器ＬＣＤに、メッセージＭ３を表示する。具体的には、”コピー用紙とカバーシートのサイズを一致させて下さい。”を表示する。
　一方、手差し給紙トレイのドアが開いている時には、ステップ５５からステップ８３に進み、表示器２１１〜２１５の表示を全て消灯し、次にステップ８４に進む。
　ステップ８４では、表示器ＬＣＤにメッセージＭ４を表示する。具体的には、”カバーシートを手差し給紙部にセットして下さい。”が表示される。
　手差し給紙トレイ２６において、シートがセットされたことが検知されると、ステップ８５から８６に進み、メッセージの表示をクリアする。
　クリアキーＫＣがオンした場合には、ステップ８７から８８に進み、給紙選択済フラグをクリアする。
　次に、サブルーチンＳＵＢＰＦを説明する。
　ステップ９１では、手差し給紙トレイ２６のドアの開閉状態をチェックする。ドアが閉じている時にはステップ９３に進み、ドアが開いている時にはステップ９２に進む。
　つまり、ドアが開いている時には、Ｒｃｆの内容にかかわらず手差し給紙系を選択し、ドアが閉じている時には、Ｒｃｆの内容に応じて、第１給紙系，第２給紙系，第３給紙系，第４給紙系及び第５給紙系を選択する。
　なお、上記実施例においては、複写機における製本処理の場合を説明したが、例えば、光ディスクなどに予め蓄積しておいた多数の画像情報を順次に読出してそれをシート上に可視情報の形で印刷し、それらの記録シートを製本化する場合にも同様にこの発明を適用できる。
［効果］
　以上のとおり、本発明によれば、オペレータが製本モード指定手段を操作することによって、第１の製本モードと第２の製本モードとを任意に選択することができる。第１の製本モードにおいては、従来の製本装置と同様に処理済シート群の最上部と最下部の両面にカバーシートが配置されるが、第２の製本モードにおいては、処理済シート群の最上部及び最下部のいずれか一方の面にだけカバーシートが付加される。
　従って、処理済シート群の枚数が少ない場合には、第２の製本モードを指定することにより、第１の製本モードを選択した場合に比べ、カバーシートの消費量及びカバーシート付加に伴なう処理時間の増大を半分に抑えることができる。このため、比較的枚数の少ない製本対象に対しても、表紙を付加しやすく、コピー書類の商品価値を高めることができる。製本対象の枚数が多い場合には、第１の製本モードを指定することにより、表と裏の両面のカバーシートが付加されるので、より商品価値の高い書類を作ることができる。
【図面の簡単な説明】
　第１図は、第２図の複写機の様々な製本動作モードにおいて作成されたシート群を示す正面図である。
　第２図は、一実施例の複写機の機構部の構成を示す正面図である。
　第３図は、第２図の複写機の操作ボードの主要部を示す平面図である。
　第４図は、第２図の複写機の電装部の構成を示すブロック図である。
　第５ａ図，第５ｂ図，第５ｃ図及び第５ｄ図は、第４図のマイクロプロセッサの動作の一部分を示すフローチャートである。
２：感光体ドラム（画像記録手段）　２１，２２，２３，２４：カセット
２５：給紙トレイ　　　　　　　　　２６：手差し給紙トレイ
２１〜２４，２５，２６：（第１及び第２のシート供給手段）
３０：光学走査系　　　　　　　　　６０：自動原稿送り装置（画像供給手段）
７０：ソータ（製本トレイ手段）
２０１〜２０５，２１１〜２１５，３０１〜３０３：表示器
２１０：マイクロプロセッサ（製本制御手段）
３１０：操作ボード　　　　　　　　Ｋ２：カバーコピーキー
Ｋ３：カバーキー（製本モード指定手段）
Ｋ４：用紙キー　　　　　　　　　　Ｋ１０：テンキー
ＫＳ：プリントスタートキー　　　　Ｋ＃：＃キー
ＬＣＤ：液晶表示器　　　　　　　　ＰＳＤ：表示器